(57)【要約】  枠体１０と、枠体１０に設けられた固定足６０と、固定足６０で支持された電動機７０とを備え、固定足６０は、絞り加工で、長手方向に沿って、電動機取付部２４０と、幅狭側足部２５０と、幅広側足部２７０とが一体形成されたものであって、電動機７０が取り付けられる電動機取付部２４０に近接して形成された幅狭側足部２５０と、幅狭側足部２５０に近接して形成された幅広側足部２７０とが、電動機取付部２４０を中心に対称となり、かつ、幅広側足部２７０の幅方向の距離が幅狭側足部２５０の幅方向の距離よりも広いものである。
2014009989.tif 000002
【特許請求の範囲】
【請求項１】
枠体と、
前記枠体に設けられた固定足と、
前記固定足で支持された電動機と
を備え、
前記固定足は、
長手方向に沿って、略中央部と、幅狭部と、幅広部とが一体形成されたものであって、
前記電動機が取り付けられる前記略中央部に近接して形成された前記幅狭部と、該幅狭部に近接して形成された前記幅広部とが、該略中央部を中心に対称となり、かつ、前記幅広部の幅方向の距離が前記幅狭部の幅方向の距離よりも広い
ことを特徴とする換気扇。
【請求項２】
前記固定足は、
該固定足の短手方向の断面形状が略Ｕ字状で形成され、
前記幅狭部及び前記幅広部は、
該幅狭部及び該幅広部の幅方向の距離と、該幅方向に対応した高さ方向の距離との和が略一定となるように形成された
ことを特徴とする請求項１に記載の換気扇。
【請求項３】
前記固定足は、
該固定足の短手方向の断面形状が略Ｕ字状で形成され、
前記幅狭部及び前記幅広部は、
該幅狭部及び該幅広部の幅方向の距離と、該幅方向に対応した高さ方向の距離とに基づいて演算される断面二次モーメントが略一定となるように形成された
ことを特徴とする請求項１に記載の換気扇。
【請求項４】
前記固定足の長手方向の端部のそれぞれには、該固定足と前記枠体とをつなげる枠体固定部が形成され、
前記枠体固定部は、
前記枠体に固定された
ことを特徴とする請求項２又は３に記載の換気扇。
【請求項５】
前記固定足は、
前記枠体に少なくとも２つ設けられ、該固定足のそれぞれは、前記電動機を介して互いに対称となる形状で形成された
ことを特徴とする請求項４に記載の換気扇。
【請求項６】
前記電動機に電源を供給するリード線を備え、
前記固定足は、
前記幅狭部に設けられ、前記リード線を固定するリード押さえ部が形成された
ことを特徴とする請求項５に記載の換気扇。
【発明の詳細な説明】
【技術分野】
【０００１】
本発明は、換気扇に関する。
【背景技術】
【０００２】
従来の換気扇は、ファンを駆動する電動機を板状の部材から形成された枠体で支持していた。この枠体は、電動機を支持する電動機取付部と、枠体を台座に固定する足部とを備えており、板状の部材が、打ち抜きや切り出し加工された後、絞り加工等がなされることにより形成されている（例えば、特許文献１参照）。
【先行技術文献】
【特許文献】
【０００３】
【特許文献１】特開２００７−１９２０９５号公報（段落［００１１］）
【発明の概要】
【発明が解決しようとする課題】
【０００４】
しかしながら、従来の換気扇において、電動機を支持する枠体が形成される際、打ち抜きや切り出し加工によって廃却となる材料が多いため、材料の歩留まりが低いという問題点があった。【０００５】
本発明は、上記のような問題点を解決するためになされたもので、材料の歩留まりを改善しつつ、強度、送風性能、及び製造容易性を維持することができる換気扇を提供することを目的とするものである。
【課題を解決するための手段】
【０００６】
本発明の換気扇は、枠体と、前記枠体に設けられた固定足と、前記固定足で支持された電動機とを備え、前記固定足は、絞り加工で、長手方向に沿って、略中央部と、幅狭部と、幅広部とが一体形成されたものであって、前記電動機が取り付けられる前記略中央部に近接して形成された前記幅狭部と、該幅狭部に近接して形成された前記幅広部とが、該略中央部を中心に対称となり、かつ、前記幅広部の幅方向の距離が前記幅狭部の幅方向の距離よりも広いものである。
【発明の効果】
【０００７】
本発明は、短手方向の断面形状が異なる固定足でファンを駆動する電動機を固定させることにより、材料の歩留まりを改善しつつ、強度、送風性能、及び製造容易性を維持することができるという効果を有する。
【図面の簡単な説明】
【０００８】
【図１】本発明の実施の形態１における換気扇１の分解斜視図である。
【図２】本発明の実施の形態１における図１の領域Ａで囲まれた部分の換気扇１の拡大図である。
【図３】本発明の実施の形態１におけるシャッター部５５の分解斜視図である。
【図４】本発明の実施の形態１における図１の領域Ｂで囲まれた部分の換気扇１の拡大図である。
【図５】本発明の実施の形態１における固定足６０の斜視図である。
【図６】本発明の実施の形態１における固定足６０ａの詳細を示す図である。
【発明を実施するための形態】
【０００９】
以下、本発明の実施の形態について、図面を用いて詳細に説明する。
【００１０】
実施の形態１．
図１は、本発明の実施の形態１における換気扇１の分解斜視図である。図２は、本発明の実施の形態１における図１の領域Ａで囲まれた部分の換気扇１の拡大図である。図３は、本発明の実施の形態１におけるシャッター部５５の分解斜視図である。図４は、本発明の実施の形態１における図１の領域Ｂで囲まれた部分の換気扇１の拡大図である。
【００１１】
図１に示すように、換気扇１は、枠体１０と、枠体１０に設けられた固定足６０ａ及び固定足６０ｂと、固定足６０ａ及び固定足６０ｂに支持された電動機７０とを備える。
換気扇１は、枠体１０にオリフィス１７０が設けられ、電動機７０にファン９０が取り付けられ、ファン９０の中央部にスピンナー１００が取り付けられる。
オリフィス１７０は、合成樹脂等で形成され、風洞を形成するものであり、枠体１０に対して、着脱自在となっている。
なお、オリフィス１７０には、例えば、フィルター、メッシュガード、及び油受け等が取り付けられるものであるが、図１においてはその図示を省略する。
また、換気扇１は、図示しない壁等に形成された壁穴等に据え付けられ、ファン９０を回転駆動させることにより、室内側の空気と、室外側の空気との間の空気の流れを形成し、室内を換気するものである。
なお、固定足６０ａ及び固定足６０ｂを総称するときには、固定足６０と称する。
【００１２】
枠体１０は、換気扇１全体を支持する強度を有する略矩形状の金属鋼板の短手方向の端部が互いに接続された金属枠から形成されたものである。枠体１０は、例えば、形状が略矩形状で形成され、室内側と室外側とがそれぞれ開口したものである。
なお、上記の説明においては、枠体１０が略矩形状の金属鋼板で接続された金属枠で形成された一例について説明したが、特にこれに限定するものではない。例えば、形状は円形状であってもよく、材質は合成樹脂等で形成されているものであってもよい。
【００１３】
枠体１０の上側縁部には上フランジ部２０が設けられ、枠体１０の左側縁部には左フランジ部３０が設けられ、枠体１０の右側縁部には右フランジ部４０が設けられ、枠体１０の下側縁部には下フランジ部５０が設けられている。上フランジ部２０、左フランジ部３０、右フランジ部４０、及び下フランジ部５０は、金属鋼板が断面Ｌ字状に折曲形成され、枠体１０の各縁部に取付けられたものである。
なお、上フランジ部２０、左フランジ部３０、右フランジ部４０、及び下フランジ部５０には、各種取付金具等を取付ける孔が形成されている。
【００１４】
電動機７０は、例えば、ＤＣブラシレスモータで構成され、インバータ制御でＤＣブラシレスモータを回転させてＤＣブラシレスモータに設けられた回転軸８０を回転させることにより、回転軸８０に取り付けられたファン９０を回転駆動させるものである。電動機７０は、電動機フランジ部７１〜７４を備える。電動機フランジ部７１〜７４は電動機７０の固定の際に利用される。
ファン９０は、回転軸８０に対して着脱自在に形成され、換気扇１が設置された状態において、枠体１０の室内側の空気と、枠体１０の室外側の空気とを換気する。
【００１５】
枠体１０の室外側には、枠体室外側開口部１１０が形成されており、枠体室外側開口部１１０には、金属鋼板から形成された複数のシャッター板１２０が設けられている。
複数のシャッター板１２０は、詳細については後述するが、シャッター連結板１３０を介してスイッチ部１４０と連動するように設けられている。
【００１６】
スイッチ部１４０は、例えば、枠体１０の前面左下隅部に設けられたものであり、電動機７０から導出されるリード線１５２と接続され、先端にプラグ１５４を有する電源ケーブル１５０と、引紐１６０とを備えている。
スイッチ部１４０は、引紐１６０が引っ張られるのに応じて、電源ケーブル１５０と、リード線１５２との間の物理的接続状態を、導通状態と非導通状態である断電状態とに交互に切り替えることにより、図示しないコンセントに差し込まれたプラグ１５４から供給される電力の供給をするか否かを制御する。
スイッチ部１４０は、導通状態のとき、シャッター連結板１３０を介して複数のシャッター板１２０が開放状態となるように制御し、断電状態のとき、シャッター連結板１３０を介して複数のシャッター板１２０が閉鎖状態となるように制御する。つまり、引紐１６０が引っ張られるのに応じて、複数のシャッター板１２０は、開放状態と閉鎖状態とが交互に切り替わるように構成されている。
なお、上記の説明では、シャッター板１２０が金属鋼板から形成される一例について説明したが、特にこれに限定するものではない。例えば、材質は合成樹脂等で形成されるものであってもよい。
【００１７】
図２に示すように、枠体１０の上面を形成する枠体上面部１０ａには、取付ピース１９０及びうちわボルト１８０が設けられる。取付ピース１９０はねじ切りされた孔を備え、うちわボルト１８０は、取付ピース１９０のねじ切りされた孔に螺合された状態で取付ピース１９０に設けられている。
うちわボルト１８０は、換気扇１が据え付けられるときに利用される部材である。例えば、取付作業者がうちわボルトを図示しない壁穴の面に締め付けることにより、換気扇１は図示しない壁穴等に据え付けられる。
【００１８】
図３に示すように、シャッター部５５は、シャッター板１２０、支持ピン１２０ｄ、シャッター連結板１３０、及びシャッター支持板２００を備え、詳細については後述するが、一方のシャッター支持板２００がシャッター板１２０の短手方向の一方の縁を支持し、もう一方のシャッター支持板２００が、シャッター連結板１３０を挟みこんだ状態でシャッター板１２０の短手方向のもう一方の縁を支持する。
シャッター板１２０の短手方向の縁には、側壁１２０ｂが形成されている。側壁１２０ｂの隅部には、シャッター孔１２０ａが設けられている。シャッター孔１２０ａは、側壁１２０ｂに対して起立状態に形成された孔であり、後述する突起部２００ａを収納する奥行きが形成されている。
なお、シャッター板１２０の短手方向のもう一方の端部についても上記で説明した構成と同様の構成となっている。
【００１９】
突起部２００ａは、シャッター支持板２００に形成されており、シャッター板１２０の短手方向の一方の縁に対しては、シャッター孔１２０ａに収納される。
突起部２００ａは、シャッター板１２０の短手方向のもう一方の縁に対しては、支持ピン１２０ｄをシャッター連結板支持孔１３０ａに挿通したシャッター連結板１３０を介して、シャッター孔１２０ａに収納される。
支持ピン１２０ｄは、止めピン挿通孔１２０ｃを備えている。支持ピン１２０ｄは、シャッター連結板１３０に形成されたシャッター連結板支持孔１３０ａに挿通された後、ブッシュ２１０に形成された止めピン２１０ａを止めピン挿通孔１２０ｃに挿通させることにより、シャッター連結板１３０が支持ピン１２０ｄに対して回動可能に設けられる。
【００２０】
図４に示すように、枠体１０には、スプリング２３０が設けられている。スプリング２３０は、一方の端部が枠体１０に設けられたものであり、もう一方の端部はシャッター連結板１３０に形成されたスプリング支持孔１３０ｃに対して一定のクリアランスが保たれた状態で設けられる。シャッター連結板１３０は、ロッド２２０を介して、可動レバー１４２と連動するように設けられている。ロッド２２０は、略長孔形状に形成された金属製のリングであり、シャッター連結板１３０に形成されたロッド支持孔１３０ｂに通されていると共に、可動レバー１４２の一方の端部に形成された図示しない孔にも通されている。可動レバー１４２のもう一方の端部は、スイッチ部１４０に収納され、引紐１６０の動作と連動するように設けられている。
【００２１】
つまり、引紐１６０が下方に引っ張られたとき、可動レバー１４２は下方に引き下げられる構成となっている。可動レバー１４２が下方に引き下げられると、その動作に連動してシャッター連結板１３０が引っ張られ、シャッター板１２０が開放状態となる。また、引紐１６０がもう一度下方に引っ張られたとき、可動レバー１４２は下方に引き下げられ、シャッター連結板１３０が引っ張られ、シャッター板１２０は閉鎖状態となる。
【００２２】
図５は、本発明の実施の形態１における固定足６０の斜視図である。図５に示すように、固定足６０ａ及び固定足６０ｂは、長手方向及び短手方向でそれぞれ絞り加工されることで一体形成されたものであり、略中央部には電動機取付部２４０が設けられ、略中央部に対して、一方の端部側に向かって、幅狭側足部２５０及び幅広側足部２７０が形成され、もう一方の端部側に向かって、幅狭側足部２５０及び幅広側足部２７０が形成されている。
つまり、幅狭側足部２５０及び幅広側足部２７０は、略中央部に形成された電動機取付部２４０に対して、互いに対称する形状で形成されている。
換言すれば、電動機取付部２４０に近接して形成された幅狭側足部２５０と、幅狭側足部２５０に近接して形成された幅広側足部２７０とは、電動機取付部２４０を中心に対称となり、幅広側足部２７０の幅方向の距離が、幅狭側足部２５０の幅方向の距離よりも広い構造となっている。
【００２３】
略中央部から端に向かって、幅広側足部２７０の端には端部２６０が形成されている。端部２６０には、詳細については図６を用いて後述するが、Ｌ字部３００が形成されている。Ｌ字部３００は、枠体１０を形成する面に固定させることにより、固定足６０を枠体１０に固定させるものである。
つまり、固定足６０の長手方向上には、一方の端からもう一方の端にわたって、端部２６０、幅広側足部２７０、幅狭側足部２５０、電動機取付部２４０、幅狭側足部２５０、幅広側足部２７０、及び端部２６０が順に形成されている。
【００２４】
電動機取付部２４０は、電動機７０に接する電動機取付面３１０が形成されている。固定足６０ａ側に形成された電動機取付面３１０には、ねじ切りされた電動機固定孔６１、６２が形成されており、固定足６０ｂ側に形成された電動機取付面３１０には、ねじ切りされた電動機固定孔６３、６４が形成されている。電動機固定孔６１〜６４は、上記で説明した電動機フランジ部７１〜７４に設けられた図示しない孔から挿通されたねじ等が螺合させることにより、電動機７０を固定させる。
なお、固定足６０ｂ側に形成された電動機取付部２４０についても同様の構成が設けられている。
なお、電動機固定孔６１〜６４がねじ切りされている一例について説明したが、特にこれに限定するものではなく、ねじ切りされていない孔であってもよい。
【００２５】
固定足６０ａ及び固定足６０ｂに形成された幅広側足部２７０には、リード押さえ部３３０が２個ずつ形成されている。リード押さえ部３３０は、幅広側足部２７０に対して突出して設けられたものであり、略鍵穴形状で形成されている。換気扇１が据え付けされる際、リード線１５２はリード押さえ部３３０のうち、幅が狭められている箇所に絡められた後、スイッチ部１４０に収納される。このようにすることで、リード線１５２がファン９０等に接触することがないため、リード線１５２の断線を防ぐことができる。また、リード押さえ部３３０により、リード線１５２の配線経路を決めることができるため、換気扇１を据え付ける際の工作性や作業性が向上する。
【００２６】
なお、固定足６０ａと、固定足６０ｂとは、取り付けられることになっている電動機７０を介して互いに対称となる形状で形成される。また、上記で説明したリード押さえ部３３０の個数や形状については一例を説明するものであり、特にこれに限定するものではない。
【００２７】
図６は、本発明の実施の形態１における固定足６０ａの詳細を示す図である。図６に示すように、固定足６０ａの正面図をＸ、固定足６０ａの電動機非接触側側面図をＹ、及び固定足６０ａの電動機接触側側面図をＺとする。なお、以後の説明においては、固定足６０ａの正面図を正面図Ｘ、固定足６０ａの電動機非接触側側面図を電動機非接触側側面図Ｙ、及び固定足６０ａの電動機接触側側面図を電動機接触側側面図Ｚと称する。
正面図Ｘに示すように、固定足６０ａは、電動機取付部２４０の一部が半円形に絞り加工されている。
【００２８】
正面図Ｘ及び電動機接触側側面図Ｚに示すように、固定足６０ａは、電動機取付部２４０の最小絞り幅がＳ１、最大絞り幅がＲ１、最小絞り高さがＳ２、及び最大絞り高さがＲ２となるように絞り加工されている。固定足６０ａは、幅狭側足部２５０の絞り幅がＱ１及び絞り高さがＱ２となるように絞り加工されている。固定足６０ａは、幅広側足部２７０の絞り幅がＰ１及び絞り高さがＰ２となるように絞り加工されている。具体的には、Ｑ１よりＱ２は大きく、Ｑ１よりＰ１は大きい形状で形成されている。また、Ｐ１はＰ２より大きい形状で形成されている。また、Ｒ１はＳ１より大きく、Ｒ２はＳ２より大きい形状で形成されている。
具体的には、Ｑ１の距離は、例えば、８ｍｍであり、Ｐ１の距離は、例えば、２２ｍｍである。また、Ｑ２の距離は、例えば、１６ｍｍであり、Ｐ２の距離は、例えば、２ｍｍである。つまり、幅狭側足部２５０の絞り幅及び絞り高さの和と、幅広側足部２７０の絞り幅及び絞り高さの和とは、略一定となるように形成されている。
なお、上記で説明した寸法は一例を示すものであり、特にこれに限定するものではない。
【００２９】
電動機接触側側面図Ｚに示すように、固定足６０ａの短手方向の断面形状は、略Ｕ字状で形成され、略Ｕ字状絞り終端部２９０から端部２６０が形成されている。端部２６０は、略Ｕ字状絞り終端部２９０からＬ曲げ形状でＬ字部３００が形成されている。Ｌ字部３００は、ねじ固定部２８０を備えている。ねじ固定部２８０は貫通孔であり、上述したように、固定足６０ａを枠体１０に固定させる際、ねじ固定部２８０に挿通したねじを枠体１０を形成する面に食い込ませていくことにより、固定足６０ａを枠体１０に固定させるものである。
【００３０】
電動機非接触側側面図Ｙに示すように、幅広側足部２７０から幅狭側足部２５０の一部にかけて、固定足平面３２０が形成され、電動機取付部２４０には電動機取付面３１０が形成されている。固定足平面３２０と、電動機取付面３１０とは、高さが異なるように絞り加工されており、固定足平面３２０の位置は、電動機取付面３１０の位置よりも、電動機７０に取付けられるファン９０から離れた位置となる構造となっている。
【００３１】
換気扇１の強度、送風性能、及び製造容易性について説明する。固定足６０ａの絞り幅及び絞り高さを大きくするにつれ、換気扇１の強度は向上する。しかしながら、固定足６０ａの絞り幅及び絞り高さを大きくするにつれ、風路抵抗は増加する。このため、固定足６０ａの絞り幅及び絞り高さを大きくすることは、騒音悪化の一要因となる。特に、固定足６０ａの絞り幅は、風路抵抗となるため、騒音への影響が大きいものとなっている。ただし、オリフィス１７０が取付けられた換気扇１の風路は、オリフィス１７０によって形成される風洞内に限定される。
すなわち、オリフィス１７０によって隠される部分は風路外となるため、風路外となっている部分については、固定足６０ａの絞り幅を大きくしたとしても、風路抵抗が大幅に増加することはない。
【００３２】
例えば、固定足６０ａの端部２６０から幅狭側足部２５０に向かって２０ｍｍの範囲は、オリフィス１７０によって隠蔽される部分である。そこで、この部分については、図６に示すように、幅広側足部２７０を形成し、Ｌ字部３００の強度を確保させる。また、断面２次モーメントは固定足６０ａの絞り幅と絞り高さに依存するものである。
したがって、固定足６０ａの絞り幅を大きくしたときは、固定足６０ａの絞り高さを小さくすることにより、固定足６０ａの絞り幅及び絞り高さを最適化する。
これにより、断面２次モーメントが大幅に変動することがない。このため、固定足６０ａの送風性能を維持しつつも強度を確保し、材料の歩留まりを改善することができる。
【００３３】
また、固定足６０ａには、換気扇１を壁穴に据え付ける際、変形により作用する左右のねじれの力が発生する。この場合であっても、固定足６０ａと固定足６０ｂとで電動機７０を挟みこむ構造となっているため、電動機７０がブリッジの機能を持つことになる。つまり、電動機７０がねじれの力に対向する強度メンバーとなるため、固定足６０ａと固定足６０ｂとを接続する補強体を別途設ける必要はない。このため、固定足６０ａの製造容易性を維持しつつも材料の歩留まりを改善することができる。
【００３４】
また、固定足６０ａは、略中央に設けられる電動機取付部２４０に電動機７０が固定されるため、電動機７０は固定足６０ａそのものの強度メンバーにもなる。このため、強度を確保するために絞り高さを大きくする必要はない。このため、固定足６０ａの強度を維持しつつも、材料の歩留まりを改善することができる。
【００３５】
なお、上記の説明では、幅狭側足部２５０及び幅広側足部２７０で、絞り幅と絞り高さとの和が略一定となるように形成される一例について説明したが、特にこれに限定するものではなく、絞り幅と絞り高さとから演算される断面２次モーメントが略一定となるように形成されてもよい。
なお、電動機取付部２４０は、本発明における略中央部に相当する。
また、幅狭側足部２５０は、本発明における幅狭部に相当する。
また、幅広側足部２７０は、本発明における幅広部に相当する。
なお、上記においては、固定足６０ａの形状の詳細について説明した。これに対し、固定足６０ｂの形状は、図５に示すように、電動機７０を介して固定足６０ａと対称となる形状である点を除いては、固定足６０ａと同様の形状で形成される。
【００３６】
換言すれば、固定足６０の絞り幅及び絞り高さを最適化したとき、固定足６０の平面形状（ブランク形状）が略長方形になるため、歩留まりは向上する。
また、固定足平面３２０の位置が電動機取付面３１０の位置よりもファン９０から離れた構造とすることにより、風路抵抗となる部分を減らし、固定足６０の干渉音による騒音を低減させている。
【００３７】
このように、短手方向の断面形状が異なる固定足でファンを駆動する電動機を固定させることにより、材料の歩留まりを改善しつつ、強度、送風性能、及び製造容易性を維持することができる。
【００３８】
以上のように、本実施の形態１の換気扇は、枠体１０と、枠体１０に設けられた固定足６０と、固定足６０で支持された電動機７０とを備え、固定足６０は、絞り加工で、長手方向に沿って、電動機取付部２４０と、幅狭側足部２５０と、幅広側足部２７０とが一体形成されたものであって、電動機７０が取り付けられる電動機取付部２４０に近接して形成された幅狭側足部２５０と、幅狭側足部２５０に近接して形成された幅広側足部２７０とが、電動機取付部２４０を中心に対称となり、かつ、幅広側足部２７０の幅方向の距離が幅狭側足部２５０の幅方向の距離よりも広いことにより、材料の歩留まりを改善しつつ、強度、送風性能、及び製造容易性を維持することができる。
【符号の説明】
【００３９】
１  換気扇、１０  枠体、１０ａ  枠体上面部、２０  上フランジ部、３０  左フランジ部、４０  右フランジ部、５０  下フランジ部、５５  シャッター部、６０、６０ａ、６０ｂ  固定足、６１、６２、６３、６４  電動機固定孔、７０  電動機、７１、７２、７３、７４  電動機フランジ部、８０  回転軸、９０  ファン、１００  スピンナー、１１０  枠体室外側開口部、１２０  シャッター板、１２０ａ  シャッター孔、１２０ｂ  側壁、１２０ｃ  止めピン挿通孔、１２０ｄ  支持ピン、１３０  シャッター連結板、１３０ａ  シャッター連結板支持孔、１３０ｂ  ロッド支持孔、１３０ｃ  スプリング支持孔、１４０  スイッチ部、１４２  可動レバー、１５０  電源ケーブル、１５２  リード線、１５４  プラグ、１６０  引紐、１７０  オリフィス、１８０  うちわボルト、１９０  取付ピース、２００  シャッター支持板、２００ａ  突起部、２１０  ブッシュ、２１０ａ  止めピン、２２０  ロッド、２３０  スプリング、２４０  電動機取付部、２５０  幅狭側足部、２６０  端部、２７０  幅広側足部、２８０  ねじ固定部、２９０  略Ｕ字状絞り終端部、３００  Ｌ字部、３１０  電動機取付面、３２０  固定足平面、３３０  リード押さえ部。
【図１】
2014009989.tif 000003
【図２】
2014009989.tif 000004
【図３】
2014009989.tif 000005
【図４】
2014009989.tif 000006
【図５】
2014009989.tif 000007
【図６】
2014009989.tif 000008
【手続補正書】
【提出日】平成27年9月11日(2015.9.11)
【手続補正１】
【補正対象書類名】明細書
【補正対象項目名】０００６
【補正方法】変更
【補正の内容】
【０００６】
本発明の換気扇は、枠体と、前記枠体に設けられた固定足と、前記固定足で支持された電動機とを備え、前記固定足は、長手方向に沿って、略中央部と、幅狭部と、幅広部とが一体形成されたものであって、前記電動機が取り付けられる前記略中央部に近接して形成された前記幅狭部と、該幅狭部に近接して形成された前記幅広部とが、該略中央部を中心に対称となり、かつ、正面視において前記幅広部の幅方向の距離が前記幅狭部の幅方向の距離よりも広いものである。
【手続補正２】
【補正対象書類名】特許請求の範囲
【補正対象項目名】全文
【補正方法】変更
【補正の内容】
【特許請求の範囲】
【請求項１】
枠体と、
前記枠体に設けられた固定足と、
前記固定足で支持された電動機と
を備え、
前記固定足は、
長手方向に沿って、略中央部と、幅狭部と、幅広部とが一体形成されたものであって、
前記電動機が取り付けられる前記略中央部に近接して形成された前記幅狭部と、該幅狭部に近接して形成された前記幅広部とが、該略中央部を中心に対称となり、かつ、正面視において前記幅広部の幅方向の距離が前記幅狭部の幅方向の距離よりも広い
ことを特徴とする換気扇。
【請求項２】
前記固定足は、
該固定足の短手方向の断面形状が略Ｕ字状で形成され、
前記幅狭部及び前記幅広部は、
該幅狭部及び該幅広部の幅方向の距離と、該幅方向に対応した高さ方向の距離との和が略一定となるように形成された
ことを特徴とする請求項１に記載の換気扇。
【請求項３】
前記固定足は、
該固定足の短手方向の断面形状が略Ｕ字状で形成され、
前記幅狭部及び前記幅広部は、
該幅狭部及び該幅広部の幅方向の距離と、該幅方向に対応した高さ方向の距離とに基づいて演算される断面二次モーメントが略一定となるように形成された
ことを特徴とする請求項１に記載の換気扇。
【請求項４】
前記固定足の長手方向の端部のそれぞれには、該固定足と前記枠体とをつなげる枠体固定部が形成され、
前記枠体固定部は、
前記枠体に固定された
ことを特徴とする請求項２又は３に記載の換気扇。
【請求項５】
前記固定足は、
前記枠体に少なくとも２つ設けられ、該固定足のそれぞれは、前記電動機を介して互いに対称となる形状で形成された
ことを特徴とする請求項４に記載の換気扇。
【請求項６】
前記電動機に電源を供給するリード線を備え、
前記固定足は、
前記幅狭部に設けられ、前記リード線を固定するリード押さえ部が形成された
ことを特徴とする請求項５に記載の換気扇。
【国際調査報告】
2014009989.tif 000009
2014009989.tif 000010
2014009989.tif 000011
2014009989.tif 000012